(57)【特許請求の範囲】
【請求項１】
複数の導体部が設けられたフラットケーブルと、このフラットケーブルが挿入される挿入口を有するハウジングと、このハウジングに収容され前記フラットケーブルが前記挿入口に挿入された状態で前記フラットケーブルの導体部に接続される端子とを備えたコネクタであって、
前記ハウジングの両側には、前記挿入口より前記フラットケーブルの挿入方向の後側にそれぞれ連結部を介して前記挿入方向と交差する後側の開く方向と前側の閉じる方向に揺動可能な一対のロックアームが設けられ、
前記一対のロックアームは、前記挿入方向の前側に設けられ前記フラットケーブルが前記挿入口に挿入された状態で前記フラットケーブルの両側に設けられた被係止部を係止する係止部と、前記挿入方向に前記連結部を挟んで前記係止部と反対側に設けられ前記係止部の前記被係止部への係止方向に押圧することにより前記一対のロックアームを前記連結部を介して前記後側の開く方向に揺動させて前記係止部と被係止部との係止を解除させる解除部とを有することを特徴とするコネクタ。
【請求項２】
請求項１記載のコネクタであって、
前記被係止部と前記係止部とは、いずれか一方が凹状に形成され、他方が凸状に形成されていることを特徴とするコネクタ。
【請求項３】
請求項１又は２記載のコネクタであって、
前記被係止部は、前記フラットケーブルに一体に設けられた補強部に形成されていることを特徴とするコネクタ。
【発明の詳細な説明】
【技術分野】
【０００１】
本発明は、コネクタに関する。
【背景技術】
【０００２】
従来、フレキシブルプリント基板（ＦＰＣ）やフレキシブルフラット基板（ＦＦＣ）などのフラットケーブルが組付けられるコネクタとしては、複数の導体部が設けられたフラットケーブルと、このフラットケーブルが挿入される挿入口を有するハウジングと、このハウジングに収容されフラットケーブルが挿入口に挿入された状態でフラットケーブルの導体部に接続される端子とを備えたものが知られている（例えば、特許文献１，２参照）。
【０００３】
これらのコネクタでは、ハウジングにフラットケーブルと端子とを回動によって接続させるレバーが設けられると共に、ハウジングにフラットケーブルを仮に保持させるための一対のサイドロックや支持金具が設けられている。
【０００４】
このようなコネクタでは、ハウジングの挿入口にフラットケーブルを挿入させ、一対のサイドロックや支持金具によってフラットケーブルを仮に保持し、レバーを回動させてレバーを一対のサイドロックや支持金具に当接させて一対のサイドロックや支持金具の係止解除を規制してフラットケーブルをハウジングに本係止させている。
【０００５】
このフラットケーブルの本係止は、レバーを逆方向に回動させ、一対のサイドロックや支持金具の規制を解除することによって解除され、フラットケーブルを挿入方向と逆方向に引き抜くことにより、フラットケーブルをハウジングから取り出すことができる。
【０００６】
これに対して、レバーを設けずに、ハウジングにフラットケーブルを本係止させるロック部を備えた実装用補強金具を組付け、ハウジングに実装用補強金具のロック部と当接し、ロック部の係止を解除させるロック解除部を設けたコネクタが知られている（例えば、特許文献３参照）。
【０００７】
このコネクタでは、ハウジングの挿入口にフラットケーブルを挿入させることにより、ハウジングに配置された実装用補強金具のロック部がフラットケーブルに係止され、フラットケーブルのハウジングからの抜けが防止される。
【０００８】
この実装用補強金具のロック部の係止は、ロック解除部をハウジング内に向けて押圧することにより、ロック部がロック解除部と同方向に撓まされて解除され、フラットケーブルをハウジングから取り出すことができる。
【先行技術文献】
【特許文献】
【０００９】
【特許文献１】特開２０１２−９３２９号公報
【特許文献２】特開２０１２−４０７２号公報
【特許文献３】特開２０１１−１１９１６２号公報
【発明の概要】
【発明が解決しようとする課題】
【００１０】
しかしながら、上記特許文献１，２のようなコネクタでは、フラットケーブルのハウジングへの係止や係止解除の際に、レバー操作を必要とするので、レバーを操作するためのスペースを確保する必要があると共に、レバーによってコネクタの部品点数が増加していた。
【００１１】
これに対して、上記特許文献３のようなコネクタでは、レバーを必要とせずに、フラットケーブルのハウジングへの係止や係止解除を行えるが、フラットケーブルをハウジングに本係止させるロック部を有する実装用補強金具がハウジングと別体で形成されている。このため、コネクタの部品点数が増加し、コネクタの組付性が低下していた。
【００１２】
そこで、この発明は、部品点数を削減してフラットケーブルのハウジングへの係止及び係止解除を行うことができるコネクタの提供を目的としている。
【課題を解決するための手段】
【００１３】
請求項１記載の発明は、複数の導体部が設けられたフラットケーブルと、このフラットケーブルが挿入される挿入口を有するハウジングと、このハウジングに収容され前記フラットケーブルが前記挿入口に挿入された状態で前記フラットケーブルの導体部に接続される端子とを備えたコネクタであって、前記ハウジングの両側には、前記挿入口より前記フラットケーブルの挿入方向の後側にそれぞれ連結部を介して前記挿入方向と交差する後側の開く方向と前側の閉じる方向に揺動可能な一対のロックアームが設けられ、前記一対のロックアームは、前記挿入方向の前側に設けられ前記フラットケーブルが前記挿入口に挿入された状態で前記フラットケーブルの両側に設けられた被係止部を係止する係止部と、前記挿入方向に前記連結部を挟んで前記係止部と反対側に設けられ前記係止部の前記被係止部への係止方向に押圧することにより前記一対のロックアームを前記連結部を介して前記後側の開く方向に揺動させて前記係止部と被係止部との係止を解除させる解除部とを有することを特徴とする。
【００１４】
このコネクタでは、ハウジングに設けられた一対のロックアームがフラットケーブルの被係止部を係止する係止部と、係止部と被係止部との係止を解除させる解除部とを有するので、ハウジングと別体の部材を用いることなく、フラットケーブルのハウジングへの係止及び係止解除を行うことができる。
【００１５】
従って、このようなコネクタでは、一対のロックアームが係止部と解除部とを有するので、部品点数を削減してフラットケーブルのハウジングへの係止及び係止解除を行うことができる。
【００１６】
請求項２記載の発明は、請求項１記載のコネクタであって、前記被係止部と前記係止部とは、いずれか一方が凹状に形成され、他方が凸状に形成されていることを特徴とする。
【００１７】
このコネクタでは、被係止部と係止部とがいずれか一方が凹状に形成され、他方が凸状に形成されているので、簡易な構造で、フラットケーブルのハウジングへの係止及び係止解除を行うことができる。
【００１８】
請求項３記載の発明は、請求項１又は２記載のコネクタであって、前記被係止部は、前記フラットケーブルに一体に設けられた補強部に形成されていることを特徴とする。
【００１９】
このコネクタでは、被係止部がフラットケーブルに一体に設けられた補強部に形成されているので、フラットケーブルのハウジングへの係止及び係止解除における被係止部の強度を保持することができる。
【発明の効果】
【００２０】
本発明によれば、部品点数を削減してフラットケーブルのハウジングへの係止及び係止解除を行うことができるコネクタを提供することができるという効果を奏する。
【図面の簡単な説明】
【００２１】
【図１】本発明の実施の形態に係るコネクタの正面図である。
【図２】本発明の実施の形態に係るコネクタの分解斜視図である。
【図３】本発明の実施の形態に係るコネクタのハウジングにフラットケーブルを組付けるときの斜視図である。
【図４】図３の状態をハウジングの背面側から見たときの斜視図である。
【図５】本発明の実施の形態に係るコネクタの要部拡大図である。
【図６】（ａ）は本発明の実施の形態に係るコネクタの係止部が被係止部を係止しているときの拡大図である。（ｂ）は図６（ａ）の状態から解除部を押圧したときの拡大図である。（ｃ）は図６（ｂ）の状態からフラットケーブルをハウジングから抜き取るときの拡大図である。
【発明を実施するための形態】
【００２２】
図１〜図６を用いて本発明の実施の形態に係るコネクタについて説明する。
【００２３】
本実施の形態に係るコネクタ１は、複数の導体部が設けられたフラットケーブル３と、このフラットケーブル３が挿入される挿入口５を有するハウジング７と、このハウジング７に収容されフラットケーブル３が挿入口５に挿入された状態でフラットケーブル３の導体部に接続される端子９とを備えている。
【００２４】
また、ハウジング７の両側には、挿入口５よりフラットケーブル３の挿入方向の後側にそれぞれ連結部１１，１１を介して挿入方向と交差する後側の開く方向と前側の閉じる方向に揺動可能な一対のロックアーム１３，１５が設けられている。
【００２５】
そして、一対のロックアーム１３，１５は、挿入方向の前側に設けられフラットケーブル３が挿入口５に挿入された状態でフラットケーブル３の両側に設けられた被係止部１７，１７を係止する係止部１９と、挿入方向に連結部１１を挟んで係止部１９と反対側に設けられ係止部１９の被係止部１７への係止方向に押圧することにより一対のロックアーム１３，１５を図６（ｂ）中矢印で示す開く方向に揺動させて係止部１９と被係止部１７との係止を解除させる解除部２１とを有する。
【００２６】
また、被係止部１７と係止部１９とは、被係止部１７が凹状に形成され、係止部１９が凸状に形成されている。
【００２７】
さらに、被係止部１７は、フラットケーブル３に一体に設けられた補強部２３に形成されている。
【００２８】
図１〜図６に示すように、フラットケーブル３は、フレキシブルプリント基板（ＦＰＣ）やフレキシブルフラット基板（ＦＦＣ）などの回路が形成された平板状のケーブルからなり、ハウジング７の挿入口５に挿入される端末部に回路に接続された複数の導体部（不図示）が設けられている。
【００２９】
このフラットケーブル３の端末部には、フラットケーブル３を補強するための薄板状の補強部２３が設けられている。この補強部２３の両側には、半円形状に切り欠かれた凹状の被係止部１７，１７がそれぞれ設けられている。このようなフラットケーブル３は、ハウジング７の挿入口５に挿入される。
【００３０】
ハウジング７は、絶縁性の樹脂材料などからなり、直方体状に形成され、回路が形成された配線基板（不図示）上に配置される。このハウジング７の一側面には、図３の矢印で示すように、フラットケーブル３が挿入される長穴形状の挿入口５が設けられている。この挿入口５と反対側のハウジング７の他側面には、挿入口５と連通され複数の端子９が収容される端子収容孔が設けられている。なお、ハウジング７の両側には、ハウジング７を配線基板上に固定させるためのＰＥＧ２５，２７が設けられている。
【００３１】
端子９は、導電性材料からなり、ハウジング７内でハウジング７の長手方向に沿って複数配列されている。この端子９は、一端側がフラットケーブル３が挿入口５に挿入された状態でフラットケーブル３の導体部に接続され、他端側が配線基板の導体部に接続される。このような複数の端子９を介してフラットケーブル３と配線基板とが電気的に接続される。
【００３２】
このようなハウジング７の挿入口５に挿入されるフラットケーブル３は、ハウジング７に設けられた一対のロックアーム１３，１５によって、ハウジング７からの脱落が防止されている。
【００３３】
一対のロックアーム１３，１５は、連結部１１と、係止部１９と、解除部２１とを備えている。連結部１１は、挿入口５よりフラットケーブル３の挿入方向の後側、すなわちハウジング７の内部側に位置され、一端側がハウジング７の両側面から連続する一部材で形成され、他端側がそれぞれ一対のロックアーム１３，１５の中央部に連続する一部材で形成されている。この連結部１１により、一対のロックアーム１３，１５がフラットケーブル３の挿入方向と交差する後側の開く方向と前側の閉じる方向に揺動可能に配置される。
【００３４】
係止部１９は、一対のロックアーム１３，１５におけるフラットケーブル３の挿入方向の前側、すなわち挿入口５側の先端部にそれぞれ設けられ、半円形状の凸状に形成されている。この係止部１９は、フラットケーブル３がハウジング７の挿入口５に挿入されたとき、挿入口５側の面がフラットケーブル３の先端面に当接され、一対のロックアーム１３，１５が連結部１１を介して開く方向に揺動される。この状態からさらにフラットケーブル３を挿入口５に挿入させることにより、係止部１９がフラットケーブル３の被係止部１７に位置され、一対のロックアーム１３，１５が連結部１１の弾性力によって閉じる方向に揺動され、係止部１９が被係止部１７を係止する。
【００３５】
このような係止部１９と被係止部１７との係止により、フラットケーブル３がハウジング７の挿入口５から脱落することが防止される。また、係止部１９が被係止部１７を係止している状態では、フラットケーブル３と端子９とが導通されており、フラットケーブル３と配線基板との電気的接続を安定化させることができる。この係止部１９と被係止部１７との係止は、解除部２１によって解除される。
【００３６】
解除部２１は、一対のロックアーム１３，１５におけるフラットケーブル３の挿入方向に連結部１１を挟んで係止部１９と反対側の端部となっている。この解除部２１は、係止部１９の被係止部１７への係止方向、すなわち図６（ｂ）の矢印に示すように、一対のロックアーム１３，１５が閉じる方向に押圧されることにより、一対のロックアーム１３，１５の係止部１９側を連結部１１を介して開く方向に揺動させる。このため、係止部１９と被係止部１７との係止状態では、解除部２１を押圧することにより、係止部１９が被係止部１７から離脱され、フラットケーブル３をハウジング７の挿入口５から抜き取ることができる。
【００３７】
このように構成されたコネクタ１は、フラットケーブル３をハウジング７に組付ける場合、フラットケーブル３を端子９が収容されたハウジング７の挿入口５に挿入させ、フラットケーブル３の端部を一対のロックアーム１３，１５の係止部１９に当接させる。なお、このフラットケーブル３と係止部１９との当接は、一対のロックアーム１３，１５がハウジング７の外部に露出されているので、目視によって確認することができる。この状態からフラットケーブル３をさらに挿入口５に挿入させ、一対のロックアーム１３，１５を連結部１１を介して開く方向に揺動させてフラットケーブル３の被係止部１７に係止部１９を係止させる。
【００３８】
なお、係止部１９による被係止部１７の係止を目視によって確認することに加えて、例えば、連結部１１の弾性力を調整して係止部１９と被係止部１７との係止によるクリック感などの感触によって確認してもよい。
【００３９】
一方、フラットケーブル３をハウジング７から取り外す場合、解除部２１を一対のロックアーム１３，１５が閉じる方向に押圧し、一対のロックアーム１３，１５の係止部１９側を連結部１１を介して開く方向に揺動させる。この状態から係止部１９による被係止部１７の係止解除を目視によって確認し、フラットケーブル３をハウジング７の挿入口５から引き抜く。
【００４０】
このようなコネクタ１では、ハウジング７に設けられた一対のロックアーム１３，１５がフラットケーブル３の被係止部１７を係止する係止部１９と、係止部１９と被係止部１７との係止を解除させる解除部２１とを有するので、ハウジング７と別体の部材を用いることなく、フラットケーブル３のハウジング７への係止及び係止解除を行うことができる。
【００４１】
従って、このようなコネクタ１では、一対のロックアーム１３，１５が係止部１９と解除部２１とを有するので、部品点数を削減してフラットケーブル３のハウジング７への係止及び係止解除を行うことができる。
【００４２】
また、被係止部１７と係止部１９とは、被係止部１７が凹状に形成され、係止部１９が凸状に形成されているので、簡易な構造で、フラットケーブル３のハウジング７への係止及び係止解除を行うことができる。
【００４３】
さらに、被係止部１７は、フラットケーブル３に一体に設けられた補強部２３に形成されているので、フラットケーブル３のハウジング７への係止及び係止解除における被係止部１７の強度を保持することができる。
【００４４】
なお、本発明の実施の形態に係るコネクタでは、被係止部が凹状に形成され、係止部が凸状に形成されているが、これに限らず、被係止部を凸状に形成し、係止部を凹状に形成してもよい。
【００４５】
また、被係止部と係止部との凹凸形状は、半円形状によってなされているが、これに限らず、例えば、挿入口側にフラットケーブルの挿入口への挿入によって一対のロックアームを開く方向に揺動させる傾斜面を有する凹凸形状などであってもよい。
【００４６】
さらに、フラットケーブルの補強部は、幅方向の全域に設けられているが、これに限らず、被係止部が設けられる周辺を補強するように設けてもよい。
【符号の説明】
【００４７】
１…コネクタ
３…フラットケーブル
５…挿入口
７…ハウジング
９…端子
１１…連結部
１３，１５…一対のロックアーム
１７…被係止部
１９…係止部
２１…解除部
２３…補強部
【図１】
0005947603.tif 000002
【図２】
0005947603.tif 000003
【図３】
0005947603.tif 000004
【図４】
0005947603.tif 000005
【図５】
0005947603.tif 000006
【図６】
0005947603.tif 000007